(57)【要約】【課題】ディスク装置全体の奥行き寸法を小型化するのに好適で構造も簡単な「ディスクの誤挿入防止機構」を提供すること。【解決手段】挿入口３ａを有する前面板の外表面に一対の回動アーム４，５を軸支し、両回動アーム４，５を逆方向に同期回転するようにギア結合すると共に、両回動アーム４，５をスプリング１０によって挿入口３ａの閉塞方向へ回動付勢する。一方の回動アーム５の回動支点から離れた先端側に規制突起５ｄを折曲形成し、プレイ状態等に挿入口３ａを斜めに横切る閉塞位置に保持された両回動アーム４，５に向けてディスクＤが誤挿入されたとき、該ディスクＤにおける挿入方向先端側の周縁部を規制突起５ｄにオーバーラップさせて当接することにより、ディスクＤの挿入力で回動アーム５を閉塞方向へ押し付けて開放方向への回転が阻止されるようにした。【選択図】図８
2007172758.tif 000002
【特許請求の範囲】
【請求項１】
ディスクを挿入および排出するためのスリット状の挿入口が設けられた前面板と、この前面板の外表面に沿って回動可能な回動アームと、この回動アームを一方向へ回動付勢して前記挿入口を斜めに横切る閉塞位置に保持するばね部材と、前記回動アームを前記ばね部材の付勢力に抗して他方向へ回転駆動して前記挿入口から離れた開放位置に保持する駆動手段とを備え、
前記回動アームの回動支点から離れた先端側に規制突起を設け、前記挿入口の閉塞位置にある前記回動アームに向けてディスクが挿入されたとき、該ディスクの挿入方向先端側の周縁部に前記規制突起を当接させることにより、該回動アームの開放方向への回転が阻止されるように構成したことを特徴とするディスクの誤挿入防止機構。
【請求項２】
請求項１の記載において、前記回動アームが金属板からなると共に、該回動アームの一側縁に前記前面板の外表面に対して起立方向へ突出する折曲湾曲部を形成し、前記規制突起を前記折曲湾曲部の一部から突出させたことを特徴とするディスクの誤挿入防止機構。
【請求項３】
請求項１または２の記載において、前記回動アームが前記前面板の外表面に軸支された第１および第２の回動アームからなり、これら第１および第２の回動アームの端部同士を互いに逆方向へ同期回転するようにギア結合すると共に、これら第１および第２の回動アームの少なくとも一方に前記規制突起を設けたことを特徴とするディスクの誤挿入防止機構。
【発明の詳細な説明】
【技術分野】
【０００１】
本発明は、ＣＤやＤＶＤ等のディスクに対して情報の再生および／または記録が可能なディスク装置に係り、特に、前面板に設けられた挿入口からディスクを挿入／排出するスロットイン方式のディスク装置に備えられるディスクの誤挿入防止機構に関するものである。
【背景技術】
【０００２】
従来より、ディスク装置の外殻を構成する筐体の前面板にスリット状の挿入口を開設すると共に、この前面板にその外表面に沿って回動可能なシャッタ部材を配設し、ディスクが装置内に装填されているときに挿入口をシャッタ部材で閉塞することにより、装置内に別のディスクが挿入されるのを避けるようにした誤挿入防止機構が知られている（例えば、特許文献１参照）。前記シャッタ部材は互いに逆方向へ同期回転するようにギア結合された一対の回動アームからなり、これら回動アームはスプリングの弾発力によって閉塞方向へ付勢されている。また、一方の回動アームには先端側を前面板の外表面に弾接させた板ばねが片持ち状に取り付けられており、前面板にはこの回動アームの回動軌跡内に突出するストッパが設けられている。
【０００３】
このように概略構成されたディスクの誤挿入防止機構では、ディスクを装置内に装填可能なローディングスタンバイ状態にあるとき、両回動アームはディスク搬送機構等からの駆動力を受けて開放位置まで回転駆動されているため、挿入口はディスクの挿入を許可している。この場合、一方の回動アームは板ばねの弾発力によって前面板の外表面から離間しているため、該回動アームはストッパと当接することなく前面板の外表面に沿って回動できる。一方、ディスクが装置内に装填されてプレイ状態等にあるとき、両回動アームはスプリングの付勢力で挿入口を斜めに横切る閉塞位置に保持されているため、別のディスクを挿入口内に挿入しようとすると、該ディスクの挿入力によって一方の回動アームが板ばねの弾発力に抗して前面板の外表面側に押し付けられる。その結果、この回動アームがストッパに当接してロック状態となるため、装置内に別のディスクが誤挿入されることを回動アームによって防止することができる。また、装置内に装填されたディスクを排出するイジェクト時は、挿入口を斜めに閉塞している両回動アームの裏面にディスクの外周縁を突き当てることにより、ディスクの排出力によって両回動アームがスプリングの弾発力に抗して開放方向へ回動する。
【特許文献１】特開２００５−２６７７８１号公報（第７−８頁、図２）
【発明の開示】
【発明が解決しようとする課題】
【０００４】
前述したように、特許文献１に開示された従来技術によるディスクの誤挿入防止機構は、シャッタ部材である一対の回動アームを前面板の外表面に沿って回動可能に配設したにも拘わらず、これら回動アームによって装置内に別のディスクが誤挿入されることを確実に防止することができるため、シャッタ部材が前面板の外方へ回動して挿入口を開放するフラップ式のものに比べると、ディスク装置全体の奥行き寸法を小型化できるという利点がある。しかしながら、回動アームをその回動軌跡内に突出するストッパに対して選択的に当接させる構成となっているため、回動アームを前面板の外表面に対して接離させるための板ばねが必要となり、この板ばねによって部品コストや組立コストが高騰するという問題があった。また、回動アームの回動に伴って板ばねが自身の弾発力を受けながら前面板の外表面上を摺動するため、板ばねと前面板間の摩擦力によって回動アームの駆動負荷が大きくなったり摩耗粉が発生するという問題もあった。
【０００５】
本発明は、このような従来技術の実情に鑑みてなされたもので、その目的は、ディスク装置全体の奥行き寸法を小型化するのに好適で構造も簡単なディスクの誤挿入防止機構を提供することにある。
【課題を解決するための手段】
【０００６】
本発明は、前面板の外表面に沿って回動可能な回動アームを挿入口に対するシャッタ部材として用いると共に、この回動アームの回動支点から離れた先端側に規制突起を設け、プレイ状態等に挿入口を斜めに横切る閉塞位置に保持された回動アームに向けてディスクが挿入されたとき、該ディスクの挿入方向先端側の周縁部を規制突起にオーバーラップさせて当接することにより、該ディスクの挿入力で回動アームを閉塞方向へ押し付けて開放方向への回転が阻止されるようにした。
【発明の効果】
【０００７】
本発明によるディスクの誤挿入防止機構は、シャッタ部材である回動アームの回動支点から離れた先端側に規制突起を設け、挿入口を斜めに横切る閉塞位置に保持された回動アームに向けてディスクが挿入されたとき、該ディスクの挿入方向先端側の周縁部と規制突起とをオーバーラップさせて両者を当接するようにしたので、前面板の前方に必要とされるシャッタ部材の収納スペースを削減してディスク装置全体の奥行き寸法を小型化した上で、回動アームに規制突起を設けるという極めて簡単な構成によって装置内に別のディスクが誤挿入されるのを確実に防止することができる。
【発明を実施するための最良の形態】
【０００８】
本発明によるディスクの誤挿入防止機構では、ディスクを挿入および排出するためのスリット状の挿入口が設けられた前面板と、この前面板の外表面に沿って回動可能な回動アームと、この回動アームを一方向へ回動付勢して前記挿入口を斜めに横切る閉塞位置に保持するばね部材と、前記回動アームを前記ばね部材の付勢力に抗して他方向へ回転駆動して前記挿入口から離れた開放位置に保持する駆動手段とを備え、前記回動アームの回動支点から離れた先端側に規制突起を設け、前記挿入口の閉塞位置にある前記回動アームに向けてディスクが挿入されたとき、該ディスクの挿入方向先端側の周縁部に前記規制突起を当接させることにより、該回動アームの開放方向への回転が阻止されるように構成した。
【０００９】
このように構成されたディスクの誤挿入防止機構によれば、回動アームがばね部材に付勢されて挿入口を斜めに横切る閉塞位置に保持されているときに、この回動アームに向けてディスクが挿入されると、該ディスクの挿入方向先端側の周縁部と回動アームに設けた規制突起とがオーバーラップして両者が当接することにより、該ディスクの挿入力で回動アームが閉塞方向へ押し付けられて開放方向への回転が阻止されるため、前面板の前方に必要とされるシャッタ部材の収納スペースを削減してディスク装置全体の奥行き寸法を小型化した上で、回動アームに規制突起を設けるという極めて簡単な構成によって装置内に別のディスクが誤挿入されるのを確実に防止することができる。また、回動アームを前面板の外表面に対して接離させる板ばねが不要となるため、回動アームの回動負荷を低減できると共に摩耗粉の発生も抑制できる。
【００１０】
上記の構成において、前記回動アームの材料は合成樹脂よりも剛性の高い金属板が良く、この場合、回動アームの一側縁に前面板の外表面に対して起立方向へ突出する折曲湾曲部を形成すると共に、この折曲湾曲部の一部から前記規制突起を突出させることが好ましい。このように構成すると、金属板からなる回動アームの機械的強度を折曲湾曲部によって高めることができると共に、ディスクのイジェクト時に、挿入口内で傾斜している折曲湾曲部の裏面側にディスクの外周縁が当接して回動アームを回動させるため、ディスクの損傷を防止することができる。
【００１１】
また、上記の構成において、１つの回動アームを用いて挿入口を開閉するようにしても良いが、回動アームが前面板の外表面に軸支された第１および第２の回動アームからなり、これら２つの回動アームの端部同士を互いに逆方向へ同期回転するようにギア結合すると共に、これら第１および第２の回動アームの少なくとも一方に規制突起を設ける構成にすると、ディスクが挿入口の中心から外れた端部位置から挿入された場合でも、ディスクの誤挿入を確実に防止することができて好ましい。
【実施例】
【００１２】
実施例について図面を参照して説明すると、図１はチェンジャ型ディスク装置の要部を示す断面図、図２は回動アームが閉鎖位置にあるときの誤挿入防止機構を示す正面図、図３は回動アームが開放位置にあるときの誤挿入防止機構を示す正面図、図４は誤挿入防止機構の要部を示す斜視図、図５は可変動力部の内部機構を示す裏面図、図６は可変動力部の内部機構を示す平面図、図７はディスクのイジェクト時における誤挿入防止機構の斜視図、図８は開放位置にある回動アームとディスクとの関係を示す要部平面図である。
【００１３】
本実施例に係るチェンジャ型ディスク装置は、外形寸法が８ｃｍのディスクＤ（小径ディスク）と１２ｃｍのディスクＤ（大径ディスク）をそれぞれ再生可能で、かつ、複数枚の大径ディスクＤを収納してそのうち１枚のディスクＤを選択的に再生可能なスロットイン方式のディスク再生装置である。図１に示すように、このチェンジャ型ディスク装置は、箱形形状の筐体１と該筐体１の前方に配設されたノーズ部材２とを備えており、ノーズ部材２にはディスクＤを挿通可能な横長形状の開口２ａが開設されている。ノーズ部材２は筐体１の前面板３に固定されており、この前面板３にはノーズ部材２の開口２ａに連通するスリット状の挿入口３ａが開設されている。これらノーズ部材２と前面板３との間には所定の間隙Ｓが確保されており、この間隙Ｓ内にディスクの誤挿入防止機構が配設されている。
【００１４】
図２と図３に示すように、この誤挿入防止機構は、前面板３の外表面に回動可能に支持された第１および第２の回動アーム４，５と、第１の回動アーム４の回転中心軸に同軸配置されたクラッチ板６と、クラッチ板６を介して第１および第２の回動アーム４，５を回転駆動する駆動部材７と、第１および第２の回動アーム４，５を閉塞方向へ回動付勢するスプリング１０等を備えている。
【００１５】
第１および第２の回動アーム４，５は挿入口３ａを開閉するシャッタ部材として機能するもので、いずれも金属板をプレス加工することにより長尺状に形成されている。第１および第２の回動アーム４，５はそれぞれピン１１，１２を用いて前面板３の外表面に回動可能に支持されており、それぞれの一端部（基端部）に形成された円弧状に連続するギヤ部４ａ，５ａを噛合させることにより、第１および第２の回動アーム４，５はピン１１，１２を回動支点として互いに逆向きに同期回転するように連結されている。また、第１および第２の回動アーム４，５の長手方向に沿う一側縁には折曲湾曲部４ｂ，５ｂが形成されており、金属板からなる第１および第２の回動アーム４，５の機械的強度がこれら折曲湾曲部４ｂ，５ｂによって高められている。これら折曲湾曲部４ｂ，５ｂは前面板３の外表面に対して起立方向へ突出しており、その折曲部分には滑らかな曲面が形成されている。さらに、第１の回動アーム４には折曲湾曲部４ｂよりも突出量の大きなガイド突起４ｄが形成されており、このガイド突起４ｄは第１の回動アーム４の回動支点（ピン１１）に近い方の折曲湾曲部４ｂの端部から一体的に突出している。一方、第２の回動アーム５には折曲湾曲部５ｂよりも突出量の大きな規制突起５ｄが形成されており、この折曲湾曲部５ｂは第２の回動アーム５の回動支点（ピン１２）から遠い方の折曲湾曲部５ｂの端部から一体的に突出している。そして、このように第１および第２の回動アーム４，５が前面板３の外表面に沿って回動可能であるため、ノーズ部材２と前面板３間に画成される狭い間隙Ｓ内に第１および第２の回動アーム４，５を含む誤挿入防止機構を収納することができ、その分、チェンジャ型ディスク装置全体の奥行き寸法が小型化されている。
【００１６】
クラッチ板６は第１の回動アーム４の回動支点であるピン１１に回転可能に軸支されており、このピン１１に捻りコイルばね１３が巻装されている。クラッチ板６には作動受部６ａとばね受部６ｂが一体形成されており、捻りコイルばね１３の両腕部をこのばね受部６ｂと第１の回動アーム４に形成されたばね受部４ｃとに掛止めすることにより、第１の回動アーム４とクラッチ板６は捻りコイルばね１３の弾発力によって常時係合する方向へ付勢されている。クラッチ板６の作動受部６ａは駆動部材７の突部７ａに当接しており、この駆動部材７は後述するガイド体間隔変更機構（可変動力部）を駆動源として前面板３の左右方向（矢印Ｘ１−Ｘ２方向）へスライド移動するようになっている。
【００１７】
スプリング１０は前面板３と第２の回動アーム５との間に張架されており、このスプリング１０の引張力によって第２の回動アーム５が図２の反時計回り方向（矢印Ｂ１方向）へ付勢されると共に、第２の回動アーム５と同期回転する第１の回動アーム４が図２の時計回り方向（矢印Ａ１方向）へ付勢されている。また、第２の回動アーム５の先端に作動部５ｃが折曲形成されており、前面板３に固定されたプリント基板１４には作動部５ｃによって動作される検出スイッチ１５が実装されている。
【００１８】
図１および図４〜図６に示すように、筐体１は互いに接合・一体化された上部シャーシ１６と下部シャーシ１７とで構成されており、前面板３はこれら上部シャーシ１６と下部シャーシ１７の前面に複数本のネジを用いて固定されている。上部シャーシ１６にはディスク搬送機構１８やディスク収納部１９が配設されており、このディスク搬送機構１８によって挿入口３ａとプレイ位置間ならびにプレイ位置とディスク収納部１９間でディスクＤの搬送が行われる。一方、下部シャーシ１７には光ピックアップ等を搭載した駆動ユニット（いずれも図示せず）が配設されており、この駆動ユニットはドライブ駆動機構２０によって筐体１内の退避位置と駆動位置との間で前後進されるようになっている。なお、図４と図６において上部シャーシ１６の天板部は省略されており、図５において上部シャーシ１６は天地逆に示されている。
【００１９】
ディスク搬送機構１８について簡単に説明すると、このディスク搬送機構１８はディスクＤの搬送方向に対して直交する向きにスライド移動可能な第１および第２のガイド部（図示せず）を備えており、両ガイド部の間隔はモータ２１を駆動源として動作されるガイド体間隔変更機構（可変動力部）によって変更可能となっている。上部シャーシ１６の天板部の裏面にはモータ２１とホイールギヤ２２およびスライドアーム２３等が配設されており、このスライドアーム２３は図４において省略されているが、前述した駆動部材７はスライドアーム２３に重ねて配置されている。スライドアーム２３に形成したラック部２３ａはホイールギヤ２２に噛合しており、モータ２１の回転に伴ってスライドアーム２３は矢印Ｘ１−Ｘ２方向へ移動する。駆動部材７も上部シャーシ１６の天板部に矢印Ｘ１−Ｘ２方向へ移動可能に支持されており、前述したように駆動部材７の突部７ａが前面板３を挿通してクラッチ板６の作動受部６ａに当接することにより、この駆動部材７は第１および第２の回動アーム４，５の復帰手段であるスプリング１０の弾性力により矢印Ｘ２方向へ付勢されている。また、駆動部材７には突部７ａと対向する位置に受部７ｂが折曲形成されており、この受部７ｂはスライドアーム２３に形成した作動突起２３ｂに対向している。これにより、モータ２１の回転に伴ってスライドアーム２３が矢印Ｘ１方向の末端位置へ移動したとき、突部７ａが作動突起２３ｂに押圧されて駆動部材７が矢印Ｘ１方向へ移動する。
【００２０】
なお、図示省略されているが、ホイールギヤ２２にはガイド体間隔変更機構の構成部材である一対のスライド板（図示省略）が噛合されており、前述した第１および第２のガイド部はこれらスライド板に設けられている。そして、第１のガイド部に溝部を有する複数の搬送プーリＰ１，Ｐ２，Ｐ３（図１参照）等を支持し、上部シャーシ１６の天板部に配設した別のモータ（図５参照）２４から各搬送プーリ群に駆動力を伝達すると共に、第２のガイド部にディスクＤの搬送方向へ直線状に延びるガイド溝を有する搬送ガイド体を設けることにより、搬送プーリ群と搬送ガイド体との間に挟持したディスクＤに回転駆動力を付与して、該ディスクＤを挿入口３ａとプレイ位置間やプレイ位置とディスク収納部１９間で搬送するようになっている。また、モータ２１を駆動源として一対のスライド板をスライド移動させることにより、第１および第２のガイド部の搬送プーリ群と搬送ガイド体とを近接離反させることができるので、小径ディスクＤでも大径ディスクＤでも搬送することができるようになっている。
【００２１】
このように構成されたチェンジャ型ディスク装置において、任意のディスクＤを装置内に装填可能なローディングスタンバイ状態にあるとき、ガイド体間隔変更機構の第１および第２のガイド部は最も互いに近接した位置にあり、搬送プーリ群と搬送ガイド体は小径ディスクＤの直径よりも狭い間隔で対向している。この場合、ガイド体間隔変更機構の駆動源であるモータ２１の回転に伴ってスライドアーム２３は矢印Ｘ１方向の末端位置へ移動しており、スライドアーム２３の作動突起２３ｂが駆動部材７の突部７ａを同方向へ押圧するため、駆動部材７は図２の左方向（矢印Ｘ１方向）へスライド動作される。その結果、図３に示すように、駆動部材７の突部７ａによってクラッチ板６と第１の回動アーム４が反時計回り方向（矢印Ａ２方向）へ回動すると共に、第１の回動アーム４に同期して第２の回動アーム５が時計回り方向（矢印Ｂ２方向）へ回動し、検出スイッチ１５が第２の回動アーム５の作動部５ｃによってオン動作される。これにより、第１および第２の回動アーム４，５がいずれも挿入口３ａの上方の開放位置へ退避し、挿入口３ａが開放状態となってディスクＤの挿入が許可されるため、任意のディスクＤをノーズ部材２の開口２ａから挿入口３ａを経て筐体１内へ挿入することができる。
【００２２】
なお、このローディングスタンバイ時に第１および第２の回動アーム４，５の自由な回動が阻止された場合、例えばユーザがノーズ部材２の開口２ａから指等を差し込んで第１および第２の回動アーム４，５の少なくとも一方を無理に押さえ付けるという悪戯がなされた場合、駆動部材７の突部７ａによってクラッチ板６が回動阻止された第１の回動アーム４に対して回転することになる。したがって、駆動部材７からの大きな駆動力が第１の回動アーム４に直接作用することがクラッチ板６の回転によって吸収され、それによって第１および第２の回動アーム４，５の損傷を防止することができる。
【００２３】
かかるローディングスタンバイ状態でディスクＤが挿入口３ａから筐体１内へ挿入されると、モータ２１を駆動源として第１および第２のガイド部の間隔がディスクＤの搬送に好適な距離に設定されると共に、別のモータ２４を駆動源として搬送プーリ群が回転駆動されるため、挿入されたディスクＤは第１および第２のガイド部間に挟持されて筐体１の奥部へと搬送されていき、そのままプレイ動作されたりディスク収納部１９に収納される。この場合、第１および第２のガイド部の間隔は最も近接した位置から外側へ広げられるため、スライドアーム２３が矢印Ｘ１方向の末端位置からＸ２方向へ移動し、それに伴って駆動部材７もＸ２方向へと移動する。その結果、第１および第２の回動アーム４，５がスプリング１０の引張力によって互いに逆方向へ同期回転し、図２に示すように、挿入口３ａの一部が第１および第２の回動アーム４，５により斜めに横切られて閉塞される。また、第２の回動アーム５の閉塞方向への回動によって検出スイッチ１５がオフ動作されるため、その切替信号に基づいてディスクＤが筐体１内に装填されたことが検出される。この閉塞位置で第１および第２の回動アーム４，５は挿入口３ａの長手方向に沿う直線に対して正面視で互いに逆向きに傾斜して対向すると共に、第２の回動アーム５の規制突起５ｄは挿入口３ａの下辺近傍に位置しているが、挿入口３ａ上におけるこれら両回動アーム４，５の折曲湾曲部４ｂ，５ｂ間の距離は小径ディスクＤの直径よりも狭い間隔に設定されている。
【００２４】
なお、前述したようにローディングスタンバイ状態で第１および第２の回動アーム４，５は挿入口３ａの上方の開放位置へ退避しているため、ディスクＤをノーズ部材２の開口２ａに対してほぼ水平な姿勢で挿入するという通常の挿入動作が行われた場合、該ディスクＤは第１および第２の回動アーム４，５に当接することなく挿入口３ａから筐体１内へ挿入される。一方、ディスクＤを開口２ａに対して極端に斜め上向きの姿勢で挿入するという通常と異なる挿入動作が行われた場合、ディスクＤは第１および第２の回動アーム４，５に形成された折曲湾曲部４ｂ，５ｂに向かうことになるが、該ディスクＤにおける挿入方向先端側の周縁部上面が第１の回動アーム４に形成したガイド突起４ｄの下面にガイドされて挿入口３ａの方向へ導かれるため、該ディスクＤと折曲湾曲部４ｂ，５ｂのエッジとの当接が回避され、折曲湾曲部４ｂ，５ｂのエッジによるディスクＤの損傷を防止することができる。
【００２５】
ディスクＤのプレイ動作中またはディスク収納部１９とプレイ位置間でのチェンジ動作中においては、上記スライドアーム２３がＸ２方向へ移動した状態に保持され、第１および第２のガイド部は互いに離間した状態となっているため、図２に示すように、第１および第２の回動アーム４，５は挿入口３ａを斜めに横切る閉塞位置に維持されている。この状態で、ユーザが別のディスクＤをノーズ部材２の開口２ａ内に挿入すると、図８に示すように、ディスクＤにおける挿入方向先端側の周縁部と第２の回動アームの規制突起５ｄとが平面的にオーバーラップし、該ディスクＤの周縁部下面が規制突起５ｄの上面のエッジ部分に当接するため、ディスクＤの挿入力によって第２の回動アーム５が閉塞方向へ押し付けられる。したがって、第２の回動アーム５はディスクＤの挿入力によって開放方向への回転が阻止された状態となり、第２の回動アーム５と同期回転する第１の回動アーム４も開放方向への回転が阻止されるため、筐体１内でディスクＤの動作中に誤って別のディスクＤがノーズ部材２の開口２ａ内に挿入されたとしても、このディスクＤは第１および第２の回動アーム４，５によって挿入口３ａを通過することができず、筐体１内に別のディスクＤが誤挿入されるのを確実に防止することができる。
【００２６】
また、筐体１内に装填されたディスクＤを排出するイジェクト時は、搬送プーリ群が挿入時と逆方向に回転駆動されることにより、ディスクＤが第１および第２のガイド部間に挟持されて筐体１の手前側へ搬送される。これにより図７に示すように、挿入口３ａを閉塞している第１および第２の回動アーム４，５の裏面にディスクＤの外周縁が突き当たり、ディスクＤの排出力で第１および第２の回動アーム４，５が開放方向（Ａ２，Ｂ２方向）へ回動されるため、このディスクＤを挿入口３ａと開口２ａを通ってノーズ部材２の外部に取り出すことができる。このとき、排出方向へ搬送されるディスクＤの外周縁は第１および第２の回動アーム４，５の折曲湾曲部４ｂ，５ｂに突き当たるが、これら折曲湾曲部４ｂ，５ｂは挿入口３ａの長手方向に沿う直線に対して逆向きに傾斜し、かつ、その折曲部分に滑らかな曲面が付けられているため、ディスクＤを損傷することなく第１および第２の回動アーム４，５を開放方向へ回動することができる。
【００２７】
なお、上記実施例では、同期回転するようにギア結合された第１および第２の回動アーム４，５のうち、一方の第２の回動アーム５にのみ規制突起５ｄを設けた場合について説明したが、このような規制突起を他方の第１の回動アーム４や第１および第２の回動アーム４，５の両方に設けても良い。また、第１の回動アーム４に設けたガイド突起４ｄについても同様で、このようなガイド突起を第２の回動アーム５や第１および第２の回動アーム４，５の両方に設けても良い。
【図面の簡単な説明】
【００２８】
【図１】実施例に係るチェンジャ型ディスク装置の要部を示す断面図である。
【図２】回動アームが閉鎖位置にあるときの誤挿入防止機構を示す正面図である。
【図３】回動アームが開放位置にあるときの誤挿入防止機構を示す正面図である。
【図４】誤挿入防止機構の要部を示す斜視図である。
【図５】可変動力部の内部機構を示す裏面図である。
【図６】可変動力部の内部機構を示す平面図である。
【図７】ディスクのイジェクト時における誤挿入防止機構の斜視図である。
【図８】開放位置にある回動アームとディスクとの関係を示す要部平面図である。
【符号の説明】
【００２９】
１  筐体
２  ノーズ部材
２ａ  開口
３  前面板
３ａ  挿入口
４  第１の回動アーム
４ａ  ギヤ部
４ｂ  折曲湾曲部
４ｄ  ガイド突起
５  第２の回動アーム
５ａ  ギヤ部
５ｂ  折曲湾曲部
５ｄ  規制突起
７  駆動部材
７ａ  突部
１０  スプリング（ばね部材）
１１，１２  ピン
【図１】
2007172758.tif 000003
【図２】
2007172758.tif 000004
【図３】
2007172758.tif 000005
【図４】
2007172758.tif 000006
【図５】
2007172758.tif 000007
【図６】
2007172758.tif 000008
【図７】
2007172758.tif 000009
【図８】
2007172758.tif 000010